(57)【要約】【課題】操作用画像が、使用状況に応じて使用しやすいように変更される画像表示装置を提供する。【解決手段】本発明による画像表示装置は、画像を表示する画像表示部（１０６０）と、前記画像表示部によって表示される画像を処理する画像処理部（１０２０）と、前記画像表示部によって表示される観察対象画像を操作するように前記画像表示部によって表示される、操作用画像の大きさを変更する操作用画像調整部（１０３０）と、を備える。【選択図】図２
2008175896.tif 000002
【特許請求の範囲】
【請求項１】
観察対象画像を操作する操作用画像の表示部と、
前記操作用画像の表示の大きさを変更する操作用画像調整部と、
を備える画像表示装置。
【請求項２】
前記操作用画像に関する情報を格納する操作用画像データベースをさらに備え、
前記操作用画像調整部が、前記操作用画像の表示の大きさに応じて、前記操作用画像データベースに格納された前記情報に基づいて、前記操作用画像とともに表示される情報を変更することを特徴とする請求項１に記載の画像表示装置。
【請求項３】
前記情報は文字情報であることを特徴とする請求項２に記載の画像表示装置。
【請求項４】
前記操作用画像調整部が、ユーザ入力にしたがって、前記操作用画像の表示の大きさを変更することを特徴とする請求項１から３のいずれか１項に記載の画像表示装置。
【請求項５】
前記操作用画像調整部が、観察対象画像の大きさにしたがって、前記操作用画像の表示の大きさを変更することを特徴とする１から３のいずれか１項に記載の画像表示装置。
【請求項６】
顕微鏡に接続され、前記操作用画像によって入力されたデータにしたがって、顕微鏡が操作されることによって、前記顕微鏡で観察される観察対象画像が操作されることを特徴とする請求項１から５のいずれか１項に記載の画像表示装置。
【請求項７】
前記操作用画像が操作用ウィンドウであることを特徴とする請求項１から６のいずれか１項に記載の画像表示装置。
【請求項８】
前記操作用画像が操作用アイコンを含むことを特徴とする請求項１から７のいずれか１項に記載の画像表示装置。
【発明の詳細な説明】
【技術分野】
【０００１】
本発明は、観察対象画像を操作する操作用画像を表示する画像表示装置に関するものである。
【背景技術】
【０００２】
画像表示装置には、観察対象画像のウィンドウの他に、観察対象画像を操作する操作用画像を表示する装置がある。操作用画像は、たとえば、アイコンであってもよい。このような画像表示装置は、画像表示装置の利用者（以下、ユーザと呼称する）が、アイコンなどの操作用画像を操作することによって、観察対象画像の観察対象を変えたり、観察対象画像の大きさを変えたりすることができるように構成されている。
【０００３】
このような画像表示装置は、たとえば、顕微鏡画像の表示装置として使用されている（たとえば、特許文献１の図３）。
【０００４】
従来の画像表示装置においては、操作用画像自体の大きさは、一定に設定されており、操作用画像とともに表示される情報も不変であった。このため、熟練したユーザにとっては、操作用画像とともに必要でない情報が提供される場合や、操作用画像のスペースが、観察対象画像のスペースに対して大きすぎる場合があった。他方、不慣れなユーザにとっては、操作用画像とともに必要な情報が提供されない場合や、操作用画像のスペースが、観察対象画像のスペースに対して小さすぎる場合があった。また、一般に、観察対象画像の大きさをできるだけ大きくしたい場合に、操作用画像が支障となる場合もあった。
【０００５】
【特許文献１】特開2002-277754号公報
【発明の開示】
【発明が解決しようとする課題】
【０００６】
上記の背景の下に、操作用画像が、使用状況に応じて使用しやすいように変更される画像表示装置に対するニーズがある。
【課題を解決するための手段】
【０００７】
本発明による画像表示装置は、観察対象画像を操作する操作用画像の表示部と、前記操作用画像の表示の大きさを変更する操作用画像調整部と、を備える。
【０００８】
本発明によれば、操作用画像の表示部によって表示される操作用画像の表示の大きさが、変更される。したがって、ユーザが、操作用画像を操作する際に便利である。
【０００９】
本発明の一実施形態による画像表示装置は、前記操作用画像に関する情報を格納する操作用画像データベースをさらに備え、前記操作用画像調整部が、前記操作用画像の表示の大きさに応じて、前記操作用画像データベースに格納された前記情報に基づいて、前記操作用画像とともに表示される情報を変更することを特徴とする。
【００１０】
本実施形態によれば、操作用画像の表示の大きさに応じて、操作用画像とともに表示される情報が変更される。したがって、ユーザは、操作用画像を操作する際に有効な情報を得ることができる。
【００１１】
本発明の他の実施形態による画像表示装置は、前記情報は文字情報であることを特徴とする。
【００１２】
本実施形態によれば、ユーザは、操作用画像を操作する際に有効な文字情報を得ることができる。
【００１３】
本発明の他の実施形態による画像表示装置は、前記操作用画像調整部が、ユーザ入力にしたがって、前記操作用画像の表示の大きさを変更することを特徴とする。
【００１４】
本実施形態によれば、ユーザが、操作用画像の所望の表示の大きさを定めることができるので便利である。
【００１５】
本発明の他の実施形態による画像表示装置は、前記操作用画像調整部が、観察対象画像の大きさにしたがって、前記操作用画像の表示の大きさを変更することを特徴とする。
【００１６】
本実施形態によれば、画像表示部によって表示される画像にしたがって、操作用画像の表示の大きさが変更されるので、操作用画像の表示の大きさが適切に定められる。
【００１７】
本発明の他の実施形態による画像表示装置は、顕微鏡に接続され、前記操作用画像によって入力されたデータにしたがって、顕微鏡が操作されることによって、前記顕微鏡で観察される観察対象画像が操作されることを特徴とする。
【００１８】
本実施形態によれば、ユーザにとって、顕微鏡の観察対象画像の操作がより容易になる。
【００１９】
本発明の他の実施形態による画像表示装置は、前記操作用画像が操作用ウィンドウであることを特徴とする。
【００２０】
本実施形態によれば、操作用ウィンドウの大きさが、変更されるので、操作用画像を操作する際に便利である。
【００２１】
本発明の他の実施形態による画像表示装置は、前記操作用画像が操作用アイコンを含むことを特徴とする。
【００２２】
本実施形態によれば、操作用アイコンの大きさが、変更されるので、操作用画像を操作する際に便利である。
【発明の効果】
【００２３】
本発明によれば、操作用画像が、使用状況に応じて使用しやすいように変更される画像表示装置が得られる。
【発明を実施するための最良の形態】
【００２４】
本発明の一実施形態による画像表示装置として、顕微鏡用の画像表示装置を説明する。
【００２５】
図１は、顕微鏡と接続された、本発明の一実施形態による画像表示装置の構成を示す図である。
【００２６】
図１において、顕微鏡２００は、標本を載置する電動ステージ２１５と、標本への透過光の集光状態を調節する電動コンデンサレンズ２２０と、複数の対物レンズ２１２を備えた電動レボルバ２１０と、顕微鏡画像を撮影するデジタルカメラ２０５と、を備える。さらに、顕微鏡２００は、電動ステージ２１５を制御する電動ステージ制御部２３０と、電動コンデンサレンズ２２０、電動レボルバ２１０および電動ステージ制御部２３０を制御する電動装置制御部２２５と、通信制御部２３５とを備える。
【００２７】
図１において、画像表示装置１００は、顕微鏡２００のデジタルカメラ２０５および通信制御部２３５に接続されている。画像表示装置１００は、一例として、パーソナル・コンピュータによって構成されてもよい。画像表示装置１００は、所望の画像が得られるように、通信制御部２３５を介して電動装置制御部２２５に指令を送り、電動ステージ２１５、電動コンデンサレンズ２２０および電動レボルバ２１０を制御する。また、画像表示装置１００は、顕微鏡２００のデジタルカメラ２０５から撮影した画像を受け取る。
【００２８】
図２は、本発明の一実施形態による画像表示装置１００の構成を示す図である。
【００２９】
画像表示装置１００は、画像データを取得する画像取得部１０１０と、画像処理部１０２０と、操作用画像の大きさなどを調整する操作用画像調整部１０３０と、操作用画像における入力を処理する操作用画像入力処理部１０４０と、画像データを格納する画像データベース１０５０と、画像を表示する画像表示部１０６０と、ユーザの指示などを入力する入力部１０７０と、操作用画像に関する情報を格納する操作用画像データベース１０８０と、を備える。
【００３０】
画像取得部１０１０は、入力部１０７０や操作用画像入力処理部１０４０からのデータに基づいて、所望の撮影対象の画像が取得できるように、通信制御部２３５を介して電動装置制御部２２５に指令を送り、電動ステージ２１５、電動コンデンサレンズ２２０および電動レボルバ２１０を制御する。また、画像取得部１０１０は、顕微鏡２００のデジタルカメラ２０５から撮影した画像を受け取る。画像取得部１０１０は、取得した画像を、撮影条件やユーザによって入力部１０７０から入力された画像ファイル名とともに、画像データベース１０５０に格納する。また、画像取得部１０１０は、入力部１０７０から入力されるユーザの指示などに基づいて、画像データベース１０５０に格納された画像を画像表示部１０６０に表示する。
【００３１】
以下に、操作用画像調整部１０３０の処理について説明する。
【００３２】
図３は、操作用画像調整部１０３０による処理を示す流れ図である。
【００３３】
図３のステップＳ３０１０において、操作用画像調整部１０３０は、操作用画像の大きさを定める。操作用画像の大きさを定めるには、ユーザが、操作用画像をクリックやドラッグするのにしたがって、操作用画像調整部１０３０が操作用画像を所望の大きさとすることができるように構成してもよい。あるいは、観察対象画像の大きさに応じて、操作用画像調整部１０３０が操作用画像の大きさを定めるように構成してもよい。たとえば、ユーザが観察対象画像を所定の大きさより大きくした場合には、ユーザは、画面操作よりも観察に集中することが考えられるので、操作用画像調整部１０３０が操作用画像を小さくするように構成してもよい。この結果、操作用画像は、観察対象画像の支障とならず、ユーザにとって都合がよい。
【００３４】
図４は、観察対象画像表示部３１０と、第１の操作用画像３２０と、第２の操作用画像３３０Ａとを含む画面の一例を示す図である。観察対象画像表示部３１０は、たとえば、顕微鏡２００の電動ステージ２１５に載置された標本の画像の表示部である。第２の操作用画像３３０Ａは、たとえば、電動ステージ２１５を操作するための操作スイッチの画像である。第２の操作用画像３３０Ａのいずれかの矢印をクリックすると、その矢印に対応する方向に電動ステージ２１５が移動し、標本の撮影対象範囲が移動し、その結果、観察対象画像表示部３１０に表示される領域が変化する。第１の操作用画像３２０は、その他の操作対象、たとえば、撮影倍率を操作するためのものであるが、ここでは説明しない。
【００３５】
本実施形態においては、たとえば、ユーザが、第２の操作用画像３３０Ａをクリックし、ドラッグするのにしたがって、操作用画像調整部１０３０が、第２の操作用画像３３０Ａの操作スイッチの大きさを変化させることができるように構成されている。
【００３６】
図３のステップＳ３０２０において、操作用画像調整部１０３０は、第２の操作用画像３３０Ａの大きさ、つまり、これに表示される操作スイッチの大きさに応じて、第２の操作用画像３３０Ａに表示される情報を定める。具体的には、第２の操作用画像３３０Ａの大きさを複数の範囲に分割し、当該範囲ごとに表示される情報を定めて、操作用画像データベース１０８０に格納しておき、操作用画像調整部１０３０が、操作用画像データベース１０８０から対応する情報を取得するようにしてもよい。
【００３７】
図３のステップＳ３０３０において、操作用画像調整部１０３０は、ステップＳ３０１０において定められた、第２の操作用画像３３０Ａの大きさおよびステップＳ３０２０において定められた、第２の操作用画像３３０Ａに表示される情報を、画像処理部１０２０へ送る。
【００３８】
画像処理部１０２０は、これらの送られた情報に基づいて、画像表示部１０６０に、第２の操作用画像３３０Ａを含む画像を表示する。
【００３９】
図５は、観察対象画像表示部３１０と、操作用画像３２０と、第２の操作用画像３３０Ｂとを含む画面の他の例を示す図である。観察対象画像表示部３１０と、第１の操作用画像３２０とは、図４に示した画面のものと同じである。しかし、第２の操作用画像３３０Ｂは、図４に示した第２の操作用画像３３０Ａと比較して大きくなっている。さらに、第２の操作用画像３３０Ｂは、第２の操作用画像３３０Ａに表示されていない文字情報を表示している。この結果、ユーザは、観察対象画像の操作をより簡単に行うことができる。特に、操作に不慣れなユーザであっても拡大時、文字情報が表示されるようになるので観察対象画像の操作を簡単に行うことができる。
【００４０】
第２の操作用画像３３０Ｂが拡大されない状態で、文字情報が第２の操作用画像３３０Ｂに入っていると、操作スイッチがかえって見難くなる不都合も生じることから、拡大時のみ文字情報が表示されることは有効である。
【００４１】
上記の実施形態においては、操作用画像によって、実際に撮影する対象を選択しているが、他の実施形態において、操作用画像によって画像データベースから表示対象となる画像を選択するようにしてもよい。操作用画像によって、表示される観察対象画像を操作するものであれば、どのように構成されたものであってもよい。
【００４２】
このように、本発明によれば、操作用画像の表示の大きさを調整することができ、また、操作用画像の大きさにしたがって、操作用画像に表示させる例えば文字情報を変えることができるので、ユーザは、操作用画像によって観察対象画像の操作をするのが容易となる。
【００４３】
尚、本実施の形態においての「情報」とは、操作スイッチ自身の画像に対する付加的な情報、例えば、ステージの移動方向を示す文字情報や倍率を示す文字情報又は、機能を示す、絵の情報等である。
【図面の簡単な説明】
【００４４】
【図１】顕微鏡と接続された、本発明の一実施形態による画像表示装置の構成を示す図である。
【図２】本発明の一実施形態による画像表示装置の構成を示す図である。
【図３】操作用画像調整部による処理を示す流れ図である。
【図４】観察対象画像と、第１の操作用画像と、第２の操作用画像とを含む画面の一例を示す図である。
【図５】観察対象画像と、第１の操作用画像と、第２の操作用画像とを含む画面の他の例を示す図である。
【符号の説明】
【００４５】
１０１０…画像取得部、１０２０…画像処理部、１０３０…操作用画像調整部、１０４０…操作用画像入力処理部
【図１】
2008175896.tif 000003
【図２】
2008175896.tif 000004
【図３】
2008175896.tif 000005
【図４】
2008175896.tif 000006
【図５】
2008175896.tif 000007